【事件の表示】
　特願２０１６−１３８１５１号「ランプ及び照明装置」拒絶査定不服審判事件〔平成２８年１１月１７日出願公開、特開２０１６−１９５１２８号〕について、次のとおり審決する。
【結　論】
　本件審判の請求は、成り立たない。
【理　由】
第１　手続の経緯 
　本願は、平成２２年６月１４日を出願日とする特願２０１０−１３５５５８号（以下「原出願」という。）の一部を、平成２５年５月３０日に新たな特許出願（特願２０１３−１１４３２９号）とし、当該新たな特許出願の一部を、同年８月３０日に新たな特許出願（特願２０１３−１７８８６１号）とし、当該新たな特許出願の一部を、平成２７年５月１５日に新たな特許出願（特願２０１５−９９８４９号）としたうえで、さらに、当該新たな特許出願の一部を、平成２８年７月１３日に新たな特許出願としたものであって、平成２９年４月２１日付けで拒絶理由が通知され、同年６月１日に意見書及び手続補正書が提出され、同年９月１１日付けで拒絶査定がされ、同年１２月６日に拒絶査定不服審判が請求されると同時に手続補正書が提出されたものである。 
　　 
第２　平成２９年１２月６日付けの手続補正についての補正の却下の決定 
［補正の却下の決定の結論］ 
　平成２９年１２月６日付けの手続補正を却下する。 
　 
［理由］ 
１　補正の内容 
　平成２９年１２月６日付けの手続補正（以下「本件補正」という。）は、特許請求の範囲の補正を含むものであって、請求項１について補正前後の記載を補正箇所に下線を付して示すと以下のとおりである。 
　 
（補正前の請求項１） 
「【請求項１】
　プレートと、
　前記プレートの一面側に固定され、半田面で半田付けされるラジアル部品が部品面に配置され、前記半田面に面実装の電子部品が配置されている基板と、
　前記プレートの前記一面側と反対側に固定され、前記基板に接続されたランプリード線が引き出されている発光部と、
　口金が嵌合される口金嵌合部と、前記口金嵌合部から徐々に径が大きくなるテーパ部と、前記口金嵌合部と前記テーパ部との境に形成された段差部とを有するハウジングとを備え、
　前記ラジアル部品が前記段差部に近接した状態で前記プレートが取り付けられており、
　前記プレートは、
　前記プレートの内周から離れて形成された基板載置面と、
　前記基板載置面に載置された前記基板の外周に形成された複数の突出部と
を有するランプ。」 
　 
（補正後の請求項１） 
「【請求項１】
　プレートと、
　前記プレートの一面側に固定され、半田面で半田付けされるラジアル部品が部品面に配置され、前記半田面に面実装の電子部品が配置されている基板と、
　前記プレートの前記一面側と反対側に固定され、前記基板に接続されたランプリード線が引き出されている発光部と、
　口金が嵌合される口金嵌合部と、前記口金嵌合部から徐々に径が大きくなるテーパ部と、前記口金嵌合部と前記テーパ部との境に形成された段差部とを有するハウジングとを備え、
　前記ラジアル部品が前記段差部に近接した状態で前記プレートが取り付けられており、
　前記プレートは、
　前記プレートの
前記ハウジング側の
、周方向に沿って等間隔に
　前記
複数の
方向に沿って等間隔
を有するランプ。」 　 　　
　
２　補正の適否 
（１）新規事項の追加の有無、シフト補正の有無、及び補正の目的の適否について 　 
　本件補正に係る請求項１の補正は、補正前の請求項１に記載された発明を特定するために必要な事項である「基板載置面」及び「突出部」の構造を、本願の願書に最初に添付した明細書の段落【００２３】及び図４、５等の記載を根拠に限定するものであるから、かかる補正は、発明特定事項を限定するものであって新規事項を追加するものではない。 
　また、上記補正は、特許法第１７条の２第４項に規定する要件を満たすものである。 
　したがって、本件補正に係る請求項１の補正は、特許法第１７条の２第３項及び同第４項の規定に適合するものであり、また、その補正前の請求項１に記載された発明とその補正後の請求項１に記載される発明の産業上の利用分野及び解決しようとする課題が同一であるから、特許法第１７条の２第５項第２号に掲げられた特許請求の範囲の減縮を目的とするものに該当する。
　
　そこで、本件補正後の請求項１に記載された事項により特定される発明（以下「本願補正発明」という。）が、特許出願の際独立して特許を受けることができるものであるか否か（特許法第１７条の２第６項において準用する同法第１２６条第７項の規定に適合するか否か）について検討する。
　
（２）独立特許要件 
（２−１）刊行物の記載事項等 
（２−１−１）刊行物１の記載事項等
ア　刊行物１の記載事項 
　原査定の拒絶の理由に引用文献１として示され、原出願の出願日前に頒布された特開２０００−４８６３４号公報（以下「刊行物１」という。）には、以下の事項が記載されている（下線は当審で付した。以下同様。）。 
（１ａ）「【請求項１】　
基板と；基板の外周部が嵌合される筒状の基板嵌合部およびこの基板嵌合部の端部に開口したチャック用溝部を設けた保持体と；保持体に装着された蛍光ランプと；保持体が取り付けられるとともに一端に口金を設けた基体と；を具備した
蛍光ランプ装置。
【請求項２】　
チャック用溝部は基板嵌合部の端部に沿って所定間隔を介して複数設けられ、これらチャック用溝部の間に、弾性変形可能な腕部と、この腕部に設けられ基板に係合する係合部とが設けられた
請求項１記載の蛍光ランプ装置。
【請求項３】　
保持体には、係合部との間に基板を挟持する複数の当接部が設けられるとともに、少なくとも１個の当接部には、基板に係合して位置決めする位置決め係合部が設けられた
請求項２記載の蛍光ランプ装置。
（１ｂ）「【０００１】
【発明の属する技術分野】
本発明は、基板を備えた蛍光ランプ装置に関する。
（１ｃ）「【００２６】そして、基体11は、カバーなどとも呼ばれるもので、ポリブチレンテレフタレート（ＰＢＴ）などの耐熱性を有する合成樹脂にて略円筒状に一体に形成されている。そして、この
基体11には、下方に拡開する基体本体部21と、この基体本体部21の上側から略円筒状に延設された口金取付部22とが形成されている。
口金取付部22には、下端部に、径寸法の大きい径大部25が円環状に形成されている
・・・
【００２９】また、基板嵌合部45には、周方向に所定間隔で対をなすチャック用溝部46が上端部に開口して形成されている。そして、これら対をなすチャック用溝部46同士の間が弾性変形可能な突部としての腕部47となり、各腕部47の先端部から内側に向かって係合部48が爪状に突設されている。さらに、
基板嵌合部45の内側には、各チャック用溝部46の側方に位置して、軸方向に沿って４カ所に突条49が形成され、各突条49の上端部が当接部49aとなっている。
４カ所の突条49のうち、１カ所の突条49の当接部49aからは、さらに上側に向かって位置決め係合部49bが突設されている。
・・・
【００３２】さらに、
基板16の上面である一面には、あるいは、上面である一面および下面である他面には、複数の電気部品が実装され
・・・
【００３４】次いで、
電気部品を実装した基板16のラッピングピン66と、蛍光ランプ15のフィラメントとを電気的に接続するとともに、保持体14の上側の開口から基板嵌合部45に基板16を挿入し嵌合して固定する。
蛍光ランプ15のバルブ51の電極に接続されたワイヤ
【００３５】次いで、
基板16の一面に実装した３本または４本のラッピングピン66に、
ワイヤの一端を巻き付けて機械的および電気的に接続する。
・・・
【００３７】そして、一方の入力線を口金12の先端口金部32に電気的に接続し、他方の入力線を口金12の螺合口金部33に電気的に接続するとともに、
口金12の収納凹部を口金取付部22に被せて複数カ所をかしめ、基体11に固定する
・・・
【００４０】そして、基板16は、基体11に形成した係合部48と当接部49aとの間に挟持して保持されるとともに、
少なくとも１個の当接部49a には、基板16に設けた位置決め係合受部63に係合して位置決めする位置決め係合部49bを設けた
（１ｄ）刊行物１には、以下の図が示されている。　
イ　刊行物１に記載された発明 
（ア）刊行物１には、「基板を備えた蛍光ランプ装置」に関する技術について開示されているところ（摘示（１ｂ））、その特許請求の範囲の請求項１〜３には、上記「蛍光ランプ装置」の構成について摘示（１ａ）のとおり記載されている。
（イ）また、摘示（１ｃ）によれば、上記「蛍光ランプ装置」の実施の態様について、
ａ　基体11には、下方に拡開する基体本体部21と、この基体本体部21の上側から略円筒状に延設された口金取付部22とが形成されており、口金取付部22には、下端部に、径寸法の大きい径大部25が円環状に形成されていること（段落【００２６】）、
ｂ　基板嵌合部45の内側には、各チャック用溝部46の側方に位置して、軸方向に沿って４カ所に突条49が形成され、各突条49の上端部が当接部49a となっており、４カ所の突条49のうち、少なくとも１カ所の突条49の当接部49aからは、さらに上側に向かって位置決め係合部49bが突設されていること（段落【００２９】）、
　なお、段落【００２９】には、「４カ所の突条49のうち、
１カ所の突条49の当接部49aからは、
位置決め係合部49bが突設されている。
少なくとも１個の当接部には
位置決め係合部が設けられた
少なくとも１個の当接部49aには
位置決めする位置決め係合部49bを設けたため
ｃ　基板16の上面である一面には、あるいは、上面である一面および下面である他面には、複数の電気部品が実装されていること（段落【００３２】）、
ｄ　電気部品を実装した基板16のラッピングピン66と、蛍光ランプ15のフィラメントとを電気的に接続するとともに、保持体14の上側の開口から基板嵌合部45に基板16を挿入し嵌合して固定すること（段落【００３４】）、及び、基板16と蛍光ランプ15の電気的な接続は、蛍光ランプ15のバルブ51の電極に接続されたワイヤを、基板16の一面に実装した３本または４本のラッピングピン66に巻き付けて機械的および電気的に接続するものであること（段落【００３４】、【００３５】）、及び、
ｅ　口金12の収納凹部を口金取付部22に被せて複数カ所をかしめ、基体11に固定すること（段落【００３７】）、が明らかである。
　    　
　以上によれば、刊行物１には、
「基板16と；基板16の外周部が嵌合される筒状の基板嵌合部45およびこの基板嵌合部45の端部に開口したチャック用溝部46を設けた保持体14と；保持体14に装着された蛍光ランプ15と；保持体14が取り付けられるとともに一端に口金を設けた基体11と；を具備した蛍光ランプ装置であって、
　チャック用溝部46は基板嵌合部45の端部に沿って所定間隔を介して複数設けられ、これらチャック用溝部46の間に、弾性変形可能な腕部と、この腕部に設けられ基板16に係合する係合部とが設けられ、
　保持体14には、係合部との間に基板16を挟持する複数の当接部49aが設けられるとともに、少なくとも１個の当接部49aには、基板16に係合して位置決めする位置決め係合部49bが設けられ、
　基体11には、下方に拡開する基体本体部21と、この基体本体部21の上側から略円筒状に延設された口金取付部22とが形成されており、口金取付部22には、下端部に、径寸法の大きい径大部25が円環状に形成され、
　基板嵌合部45の内側には、各チャック用溝部46の側方に位置して、軸方向に沿って４カ所に突条49が形成され、各突条49の上端部が当接部49aとなっており、４カ所の突条49のうち、少なくとも１カ所の突条49の当接部49aからは、さらに上側に向かって位置決め係合部49bが突設され、
　基板16の上面である一面には、あるいは、上面である一面および下面である他面には、複数の電気部品が実装され、
　電気部品を実装した基板16のラッピングピン66と、蛍光ランプ15のフィラメントとを電気的に接続するとともに、保持体14の上側の開口から基板嵌合部45に基板16を挿入し嵌合して固定され、基板16と蛍光ランプ15の電気的な接続は、蛍光ランプ15のバルブ51の電極に接続されたワイヤを、基板16の一面に実装した３本または４本のラッピングピン66に巻き付けて機械的および電気的に接続するものであり、
　口金12の収納凹部を口金取付部22に被せて複数カ所をかしめ、基体11に固定した、
　蛍光ランプ装置。」の発明（以下「引用発明」という。）が記載されていると認められる。 
   　
（２−１−２）刊行物２の記載事項 
　原査定の拒絶の理由に引用文献２として示され、原出願の出願日前に頒布された特開２００４−３０３６１９号公報（以下「刊行物２」という。）には、以下の事項が記載されている。 
（２ａ）「【０００１】
【発明の属する技術分野】
本発明は、
電球型蛍光ランプに関し
（２ｂ）「【００２８】
図２（ａ）に示すように、
プリント基板５１には、
口金４０の側に向けて配される面（以下、「オモテ面」という。）に、所定の位置に設けられたリード挿入孔を用いて、複数の挿入実装部品
例えば、
電解コンデンサ素子５３
が実装されている。リード挿入孔から挿入された各部品のリードは、
プリント基板５１の裏面に所要のパターンをもって設けられた導電ランドの所定箇所に半田付けにより接続されている。
・・・
【００３２】
また、図２（ｂ）に示すように、
プリント基板５１における裏面の略中央部分には、ｎＭＯＳ−ＦＥＴ素子５６が面実装されている。
（２ｃ）刊行物２には、以下の図が示されている。
　　
（２−１−３）刊行物３の記載事項 
　当審で新たに示す原出願の出願日前に頒布された特開２００５−１８３０３４号公報（以下「刊行物３」という。）には、以下の事項が記載されている。
（３ａ）「【０００１】
　
本発明は、
口金付き光源装置に関するものである。
（３ｂ）「【０００５】
　本発明は、上記事由に鑑みてなしたもので、
その課題は、点灯回路基板を固定するためのケースの取り付け部の構造を単純化できる点灯回路基板を供給することにある。
【課題を解決するための手段】
【０００６】
　請求項１に係る発明の口金付き光源装置は、
光源を有する点灯部と、略筒状をなし一方の開口端近傍に前記点灯部が取付けられたケースと、このケースの他方の開口端近傍に取付けられた口金と、前記ケースに収納された前記光源を点灯させる点灯回路基板と、点灯回路基板と口金との間に接続された複数の電線と、を備えた口金付き光源装置において、前記ケースの内面側であって点灯回路基板より口金側に点灯回路基板の口金方向への移動を阻止する基板当接部を形成する
（３ｃ）「【００１９】
　ここで重要なことは、ケース５の内面側であって点灯回路基板３より口金７側に点灯回路基板３の口金７方向への移動を阻止する基板当接部５ａを形成したことである。さらに電線８のうち張力電線８Ｌを点灯回路基板３と口金７との間で張力が働くように設け、この張力電線８Ｌにより点灯回路基板３が口金７の方に引っ張られて基板当接部５ａに張着されているものとしたことである。
【００２０】
　これを詳しく述べると、
基板当接部５ａは、ケース５の内面側であってケース５の軸心に向かって突出したものである。
この基板当接部５ａは、ケース５のない周面に略１２０°間隔で３ケ所設けられている。
　また、張力電線８は、点灯回路基板３（プリント基板３ａ）の略中心より点灯回路基板３（プリント基板３ａ）に対して垂直に設けられており、点灯回路基板３とアイレット部７ｂとの間で、点灯回路基板３（プリント基板３ａ）を引っ張るよう取り付けられている。」
　      　
（２−１−４）刊行物４の記載事項 
　当審で新たに示す原出願の出願日前に頒布された特開平３−３７９０５号公報（以下「刊行物４」という。）には、以下の事項が記載されている。
（４ａ）「２．特許請求の範囲
（１）　
一端に口金を備えたカバーの他端開口部に、けい光ランプを支持したランプホルダーを連結し、これらカバーとランプホルダーとで囲まれた空間に点灯回路部品を装着した回路基板を収容してなるけい光ランプ装置において、
　
上記回路基板は、カバーとランプホルダーとの間で挾持した
（２）　
上記カバーとランプホルダーとにそれぞれリブを設け、これらカバー側のリブとランプホルダー側のリブは互いに周方向の位置をずらせ、これらカバー側のリブとランプホルダー側のリブとの間で上記回路基板を挾持するとともに、これらカバー側のリブとランプホルダー側のリブの間隔を上記回路基板の厚さよりも小さくした
（４ｂ）「（産業上の利用分野）
　
本発明は、
光ランプ装置に関する。
（４ｃ）「（発明が解決しようとする課題）
　しかしながら、上記従来の構造は、回路基板取付け用の支持台を特別に形成しなければならず、部品点数が増し、コストアップにつながる不具合がある。
　また、接着剤を使用するので接着剤の乾燥時間が長く必要となり、組立て能率が低下する不具合がある。
　
本発明においては、格別な支持台などを用いることなく、回路基板を簡単に組み込むことができるけい光ランプ装置を提供しようとするものである。
（４ｄ）「（実施例）
　以下、本発明について、第１図ないし第４図に示す一実施例にもとづき説明する。
　第１図は全体の断面を示し、１は合成樹脂製のカバーであり、このカバー１の一端には円筒部２が形成されている。この円筒部２には、例えばＥ２６形のようなねじ込み形口金３が被着されており、この口金３は円筒部２に接着剤、またはかしめ等により固定されている。
　上記カバー１の他端は開口しておりこの開口端部には、ランプホルダー４が取付けられている。この
ランプホルダー４は
嵌合周壁５が形成されているとともに、この嵌合周壁５には
複数のリブ６・・・が形成されている。上記リブ６・・・は周方向に離間して例えば４本形成されており、これらリブ６・・・の先端には係止突起７・・・が形成されている
　このため、カバー１の上記開口端部はこのランプホルダー４により閉塞され、これらカバー１とランプホルダー４の間に点灯回路部品を収容する部屋１０を形成している。
　この部屋１０には上記点灯回路部品としての高周波点灯回路部品１１が収容されている。高周波点灯回路部品１１は回路基板１２に取付けられており、この回路基板１２は上記カバー１とランプホルダー４との間に挾持されている。
　本実施例の場合、回路基板１２の周縁に、第３図に示すように切欠部１３・・・を設け、これら切欠部１３・・・を上記リブ６・・・の先端に形成した係止突起７・・・に嵌合し、これによりリブ６・・・の先端で回路基板１２の周縁部下面を支えている。
　そして、カバー１の内面には、第３図にも示す通り複数の押え用リブ１４・・・が形成され、これらカバー１側の押え用リブ１４・・・は上記回路基板１２の周縁部上面を押さえ付けるようになっている。
　したがって、回路基板１２は、ランプホルダー４側のリブ６・・・と、カバー１側の押え用リブ１４・・・とで挾持されている。
　この場合、
回路基板１２は、周縁に形成した切欠部１３・・・が上記リブ６・・・の先端に形成した係止突起７・・・と嵌合するので、周方向の位置決めがなされる。
（４ｅ）「このような構成の実施例によれば、回路基板１２はカバー１とランプホルダー４との間で挾持されるから、他に格別な部品は必要なく、部品点数が少なくコストダウンが可能になる。
　また、回路基板１２はカバー１とランプホルダー４との間で軸方向の位置決めがなされ、しかも周縁に形成した切欠部１３・・・がランプホルダー４側に形成したリブ６・・・先端の係止突起７・・・と嵌合するので、周方向の位置決めがなされる。
　このようなことから、回路基板１２の取付け位置が高精度に規制される。」（３頁右下欄５〜１５行）
（４ｆ）刊行物４には、以下の図が示されている。
　
　　 　
（２−２）対比 　 
　本願補正発明と引用発明とを対比する。 
ア　引用発明の「保持体14」は、本願補正発明の「プレート」に相当する。
イ　引用発明の「基板16」は、本願補正発明の「基板」に相当する。
ウ　本願明細書の「インバータ部５０は、基板５１（片面基板）の部品面（図１７の半田面の反対側の面）に、電子部品５３（一つの電子部品、例えば、チョークコイル等）やその他の電子部品５６が配置される。基板５１（片面基板）の部品面に配置される電子部品５３，５６は、それらのリード線が基板５１を貫通して半田面でパターン（図示せず）に半田付けされる。電子部品５３，５６のような電子部品を、挿入形部品もしくはラジアル部品と呼ばれる。」（段落【００３８】）及び図１７等の記載によれば、「ラジアル部品」とは、少なくとも、基板の部品面に配置される電子部品であって、部品本体の片側からリード線が配設されている電子部品と理解することができる。ここで、引用発明の「複数の電気部品」は、「基板16の上面である一面」に「実装され」るものであり、その実装の態様は、図１及び２（摘示（１ｄ））にも示されているとおり、部品本体の片側に配設されたリード線を用いたものと理解することができる。
　したがって、引用発明の「複数の電気部品」は、本願補正発明の「ラジアル部品」に相当し、また、引用発明の「基板16の上面である一面」は、本願補正発明の「部品面」に相当するものといえる。
エ　引用発明は「保持体14には、係合部との間に基板16を挟持する複数の当接部49aが設けられるとともに、少なくとも１個の当接部49aには、基板16に係合して位置決めする位置決め係合部49bが設けられ」るものであって、「保持体14の上側の開口から基板嵌合部45に基板16を挿入し嵌合して固定」するものであるから、基板16が、保持体14の一面側に固定されることは技術的に明らかである。
　したがって、引用発明の「基板16」と、本願補正発明の「前記プレートの一面側に固定され、半田面で半田付けされるラジアル部品が部品面に配置され、前記半田面に面実装の電子部品が配置されている基板」とは、上記ア〜ウをも踏まえると「前記プレートの一面側に固定され、ラジアル部品が部品面に配置されている基板」の限度で共通するものといえる。
オ　引用発明の「蛍光ランプ15」及び「蛍光ランプ15のバルブ51の電極に接続されたワイヤ」は、本願補正発明の「発光部」及び「ランプリード線」に相当する。
　また、引用発明の「蛍光ランプ15」は、「保持体14に装着され」るものであって、その装着態様は、図２（摘示（１ｄ））に示されるとおり、保持体14において、基板16を固定する側とは反対側に固定されることが明らかである。
　さらに、引用発明は、「電気部品を実装した基板16のラッピングピン66と、蛍光ランプ15のフィラメントとを電気的に接続する」ものであって、「基板16と蛍光ランプ15の電気的な接続は、蛍光ランプ15のバルブ51の電極に接続されたワイヤを、基板16の一面に実装した３本または４本のラッピングピン66に巻き付けて機械的および電気的に接続する」というものであるから、上記「蛍光ランプ15」において、基板16に接続されたワイヤが引き出されていることも技術的に明らかである。
　したがって、引用発明の「蛍光ランプ15」は、上記ア、イをも踏まえると、本願補正発明の「前記プレートの前記一面側と反対側に固定され、前記基板に接続されたランプリード線が引き出されている発光部」に相当するものといえる。
カ　引用発明は、「口金12の収納凹部を口金取付部22に被せて複数カ所をかしめ、基体11に固定」するものであるところ、上記「口金取付部22」には、「口金12の収納凹部」が「被せ」られることで、はめ合い状態（いわゆる「嵌合」した状態）をなすことが明らかであるから、引用発明の「略円筒状に延設された口金取付部22」は、本願補正発明の「口金が嵌合される口金嵌合部」に相当するものといえる。
キ　引用発明の「基体本体部21」は「下方に拡開する」形状をなし、その形状は、図２（摘示（１ｄ））にも示されてるとおり、口金取付部22から徐々に径が大きくなる形状ということもできる。
　したがって、引用発明の「下方に拡開する基体本体部21」は、本願補正発明の「前記口金嵌合部から徐々に径が大きくなるテーパ部」に相当するものといえる。
ク　引用発明は、「口金取付部22には、下端部に、径寸法の大きい径大部25が円環状に形成され」るものであるから、口金取付部22と基体本体部21との境には、径大部25による段差が生じることが技術的に明らかである。
　したがって、引用発明の「径大部25」は、上記カ及びキをも踏まえると、本件補正発明の「前記口金嵌合部と前記テーパ部との境に形成された段差部」に相当するものといえる。
ケ　引用発明の「下方に拡開する基体本体部21と、この基体本体部21の上側から略円筒状に延設された口金取付部22とが形成されており、口金取付部22には、下端部に、径寸法の大きい径大部25が円環状に形成され」た「基体11」は、上記カ〜クを踏まえると、本願補正発明の「口金が嵌合される口金嵌合部と、前記口金嵌合部から徐々に径が大きくなるテーパ部と、前記口金嵌合部と前記テーパ部との境に形成された段差部とを有するハウジング」に相当するものといえる。
コ　引用発明は、「保持体14には、係合部との間に基板16を挟持する複数の当接部49aが設けられる」ものであるところ、上記「複数の当接部49a」が基板16を載置する載置面を構成すること、及び周方向に沿って配置されていることは技術的に明らかであるから、引用発明の「複数の当接部49a」と、本願補正発明の「前記プレートの前記ハウジング側の内周から離れて、周方向に沿って等間隔に形成された複数の基板載置面」とは、「周方向に沿って形成された複数の基板載置面」の限度で共通するものといえる。
サ　引用発明は、「保持体14には、係合部との間に基板16を挟持する複数の当接部49aが設けられるとともに、少なくとも１個の当接部49aには、基板16に係合して位置決めする位置決め係合部49bが設けられ」るものであるところ、上記「位置決め係合部49b」が、複数の当接部49aに載置された基板16の外周方向に沿って形成された、突出した部位をなすことは技術的に明らかであるから、引用発明の「少なくとも１個の当接部49a」に「設けられ」た「基板16に係合して位置決めする位置決め係合部49b」と、本願補正発明の「前記複数の基板載置面に載置された前記基板の外周方向に沿って等間隔に形成された複数の突出部」とは、上記イ及びコをも踏まえると、「前記複数の基板載置面に載置された前記基板の外周方向に沿って形成された突出部」の限度で共通するものといえる。
シ　引用発明の「蛍光ランプ装置」は、本願補正発明の「ランプ」に相当する。
　
　以上によれば、本願補正発明と引用発明とは、 
「プレートと、
　前記プレートの一面側に固定され、ラジアル部品が部品面に配置されている基板と、
　前記プレートの前記一面側と反対側に固定され、前記基板に接続されたランプリード線が引き出されている発光部と、
　口金が嵌合される口金嵌合部と、前記口金嵌合部から徐々に径が大きくなるテーパ部と、前記口金嵌合部と前記テーパ部との境に形成された段差部とを有するハウジングとを備え、
　前記プレートは、
　周方向に沿って形成された複数の基板載置面と、
　前記複数の基板載置面に載置された前記基板の外周方向に沿って形成された突出部と
を有するランプ。」の点で一致し、以下の点で相違している。 
　
＜相違点１＞ 
「基板」に関し、本願補正発明は、「半田面で半田付けされる」ラジアル部品が部品面に配置され、「前記半田面に面実装の電子部品が配置され」るものであるのに対し、引用発明は、「基板16の上面である一面には、あるいは、上面である一面および下面である他面には、複数の電気部品が実装され」るものである点。
　　
＜相違点２＞ 
　本願補正発明は、「前記ラジアル部品が前記段差部に近接した状態で前記プレートが取り付けられて」いるのに対し、引用発明は、そのように特定されていない点。
　　
＜相違点３＞ 
「基板載置面」及び「突出部」に関し、本願補正発明は、基板載置面が、「前記プレートの前記ハウジング側の内周から離れて」、周方向に沿って「等間隔に」形成されるものであり、また、突出部が、「等間隔に」形成された「複数の」突出部であるのに対し、引用発明は、そのように特定されていない点。
　
（２−３）判断 
ア　相違点１について 
　刊行物２には、「電球型蛍光ランプ」に関する技術について開示されており（摘示（２ａ））、具体的には、摘示（２ｂ）（２ｃ）のとおり、「プリント基板５１には、・・・口金４０の側に向けて配される面（以下、「オモテ面」という。）に、所定の位置に設けられたリード挿入孔を用いて、複数の挿入実装部品（例えば、・・・電解コンデンサ素子５３・・・など）が実装されている。リード挿入孔から挿入された各部品のリードは、・・・プリント基板５１の裏面に所要のパターンをもって設けられた導電ランドの所定箇所に半田付けにより接続されている」こと（段落【００２８】）、及び「プリント基板５１における裏面の略中央部分には、ｎＭＯＳ−ＦＥＴ素子５６が面実装されている」こと（段落【００３２】）が記載されており、要するに、ラジアル部品（電解コンデンサ素子５３などの挿入実装部品）を基板（プラント基板５１）の部品面（オモテ面）に配置するとともに半田面（裏面）で半田付けし、さらに、上記半田面（裏面）に面実装の電子部品（ｎＭＯＳ−ＦＥＴ素子５６）を配置すること（以下「刊行物２に記載された技術事項」ということもある。）が記載されている。
　ここで、引用発明は、「基板16の上面である一面には、あるいは、上面である一面および下面である他面には、複数の電気部品が実装され」るものであって、複数の電気部品は、基板16の上面あるいは下面をも含めて、適宜選択的にその実装位置を任意に設定可能なもということができるから、そのように複数の電気部品を基板16に配設するに際し、刊行物２に記載された「電球型蛍光ランプ」の構造を参考にする動機付けは十分存在する。
　してみると、引用発明の基板16を構成するに際し、上記刊行物２に記載された技術事項をも参考にして、ラジアル部品を基板の部品面に配置するとともに半田面で半田付けし、さらに、上記半田面に面実装の電子部品を配置すること、すなわち、上記相違点１に係る本願補正発明の構成とすることは、当業者であれば容易に想到し得るものといえる。
   　
イ　相違点２について
　引用発明は、上記「（２−２）ク」で述べたとおり、本件補正発明の「前記口金嵌合部と前記テーパ部との境に形成された段差部」に相当する構成を備えるものである。
　ここで、刊行物１の図２及び図３（摘示（１ｄ））の図示内容からも明らかなとおり、引用発明において、「基体11」に「保持体14が取り付けられ」るならば、「基板16の上面である一面に」「実装され」た「複数の電気部品」は、少なくとも「基体11」に「形成され」た「下方に拡開する基体本体部21」の内部に位置することとなり、その結果、上記「複数の電気部品」が「基体11」に「形成され」た「径大部25」に近接した状態となることは技術的に明らかである。
　したがって、上記相違点２は実質的な相違点とはいえないか、あるいは上記相違点２が実質的な相違点であるとしても、当業者が容易になし得るものといえる。
                    　
ウ　相違点３について
（ア）引用発明は、「基板嵌合部45の内側には、各チャック用溝部46の側方に位置して、軸方向に沿って４カ所に突条49が形成され、各突条49の上端部が当接部49aとなっており、４カ所の突条49のうち、少なくとも１カ所の突条49の当接部49aからは、さらに上側に向かって位置決め係合部49bが突設され」るものである。
　ここで、引用発明の「当接部49a」は、上記「（２−２）コ」で述べたとおり、基板16の載置面として位置付けられるものであり、さらに、「４カ所に」「形成され」た「各突条49の上端部」に配設されるものであるから、周方向に沿って、所要な間隔を隔てて配置されていることも技術的に明らかである。そして、そのように配設された当接部49aによって、基板16を安定して載置すべきことは技術常識に照らして明らかである。
（イ）また、引用発明の「位置決め係合部49b」は、「少なくとも１カ所の突条49の当接部49aから」「さらに上側に向かって」「突設され」るものであるところ、刊行物１には、「少なくとも１個の当接部49aには、基板16に設けた位置決め係合受部63に係合して位置決めする位置決め係合部49bを設けたため、保持体14の構成を簡略化し製造コストを低減できるとともに、基板16を確実に回り止めできる。」（摘示（１ｃ）段落【００４０】）と記載されているから、引用発明の「位置決め係合部49b」は、「保持体14の構成を簡略化し」つつも、「基板16を確実に回り止めできる」構成として採用されていることが明らかである。
（ウ）以上を踏まえて検討する。
ａ　刊行物３には、「口金付き光源装置」に関する技術について開示されており（摘示（３ａ））、具体的には、摘示（３ｂ）のとおり、「点灯回路基板を固定するためのケースの取り付け部の構造を単純化できる点灯回路基板を供給する」という課題を解決するために（段落【０００５】）、「光源を有する点灯部と、略筒状をなし一方の開口端近傍に前記点灯部が取付けられたケースと、このケースの他方の開口端近傍に取付けられた口金と、前記ケースに収納された前記光源を点灯させる点灯回路基板と、点灯回路基板と口金との間に接続された複数の電線と、を備えた口金付き光源装置」において、少なくとも「前記ケースの内面側であって点灯回路基板より口金側に点灯回路基板の口金方向への移動を阻止する基板当接部を形成する」こと（段落【０００６】）、より具体的には、摘示（３ｃ）のとおり、「基板当接部５ａは、ケース５の内面側であってケース５の軸心に向かって突出したものであ」り、「この基板当接部５ａは、ケース５のない周面に略１２０°間隔で３ケ所設けられている」こと（段落【００２０】）が記載されている。
ｂ　また、刊行物４には、「光ランプ装置」に関する技術について開示されており（摘示（４ｂ）、具体的には、摘示（４ｃ）のとおり、「格別な支持台などを用いることなく、回路基板を簡単に組み込むことができるけい光ランプ装置を提供」するという課題を解決するために、摘示（４ａ）のとおり、「一端に口金を備えたカバーの他端開口部に、けい光ランプを支持したランプホルダーを連結し、これらカバーとランプホルダーとで囲まれた空間に点灯回路部品を装着した回路基板を収容してなるけい光ランプ装置」において、少なくとも「上記回路基板は、カバーとランプホルダーとの間で挾持し」、「上記カバーとランプホルダーとにそれぞれリブを設け、これらカバー側のリブとランプホルダー側のリブは互いに周方向の位置をずらせ、これらカバー側のリブとランプホルダー側のリブとの間で上記回路基板を挾持するとともに、これらカバー側のリブとランプホルダー側のリブの間隔を上記回路基板の厚さよりも小さくした」こと、より具体的には、摘示（４ｄ）のとおり、「ランプホルダー４は・・・嵌合周壁５が形成されているとともに、この嵌合周壁５には・・・複数のリブ６・・・が形成されている。上記リブ６・・・は周方向に離間して例えば４本形成されており、これらリブ６・・・の先端には係止突起７・・・が形成されている」こと、「回路基板１２の周縁に、・・・切欠部１３・・・を設け、これら切欠部１３・・・を上記リブ６・・・の先端に形成した係止突起７・・・に嵌合し、これによりリブ６・・・の先端で回路基板１２の周縁部下面を支えている」こと、「回路基板１２は、周縁に形成した切欠部１３・・・が上記リブ６・・・の先端に形成した係止突起７・・・と嵌合するので、周方向の位置決めがなされる」ことが記載されており、さらに、摘示（４ｆ）に示す第１〜３図より、リブ６が、周方向に沿って等間隔に形成されていることも看取できる。
ｃ　以上によれば、複数の基板載置面（前者の「基板当接部５ａ」、後者の「リブ６の先端」）を有するランプ（前者の「口金付き光源装置」、後者の「けい光ランプ装置」）において、その構成の簡略化（前者の「ケースの取り付け部の構造を単純化」すること、後者の「回路基板を簡単に組み込む」こと）をも企図して、基板載置面を周方向に沿って等間隔に配設することは、かかる技術分野でごく普通に行われている周知技術ということができる。　また、そのように基板載置面を周方向に沿って等間隔に構成すれば、基板をバランス良く載置することができ、安定した基板の載置が行い得ることも技術的に明らかである。
ｄ　ここで、引用発明は、上記（ア）（イ）で述べたとおり、「保持体14の構成を簡略化し」つつも、「基板16を確実に回り止めできる」構成として採用されていることが明らかであって、当接部49aによって、基板16を安定して載置すべきことも明らかであるから、そのように基板16を載置するに際し、上記周知技術を参考にする動機付けは十分に存在する。
ｅ　さらに、引用発明は、上記（イ）で述べたとおり、「位置決め係合部49b」は、「少なくとも１カ所の突条49の当接部49aから」「さらに上側に向かって」「突設され」るものであって、「基板16を確実に回り止めできる」構成として採用されるものであるところ、その配設は、「少なくとも１カ所の突条49の当接部49aから」「突設され」ることを充足するように設定され得るものであるから、「１カ所の突条49」のみならず「４カ所の突条49」の全てにおいて、「位置決め係合部49b」を設けることも想定の範囲ということができ、そのように複数配設することで、より確実に基板16の回り止めができることも技術的に明らかである（刊行物４に記載された、複数の切欠部１３と複数の係止突起７との嵌合に伴う「回路基板１２の取付け位置が高精度に規制される」点からも裏付けられる。）。
　さらに、図１（摘示（１ｄ））にも示されるとおり、位置決め係合部49b及び当接部49aを備えた突条49において、当接部49aが、保持体14の内周から離れて形成されることも技術的に明らかである。
ｆ　したがって、引用発明の「基板載置面（当接部49a）」及び「突出部（位置決め係合部49b）」に関し、基板載置面を、「プレートのハウジング側の内周から離れて」、周方向に沿って「等間隔に」形成されるものとして、また、突出部を「等間隔に」形成された「複数の」突出部として構成することは、当業者が、かかる技術分野の周知技術をも参考の上、容易に想到し得たものといえる。      　
エ　そして、本願補正発明の作用効果も、引用発明、刊行物２に記載された技術事項及び周知技術（例えば刊行物３や４を参照）から当業者が予測し得る範囲のものであって、格別なものとはいえない。
     　
オ　まとめ 
　したがって、本願補正発明は、引用発明、刊行物２に記載された技術事項及び周知技術（例えば刊行物３や４を参照）に基いて当業者が容易に発明をすることができたものであるから、特許法第２９条第２項の規定により、特許を受けることができない。 
　よって、本願補正発明は、特許出願の際独立して特許を受けることができるものではない。 
　　 
（２−４）むすび 
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。 
　　　 
第３　本願発明 
　本件補正は上記のとおり却下されたので、本願の請求項１に係る発明は、平成２９年６月１日付けの手続補正により補正された特許請求の範囲の請求項１に記載された事項により特定されるとおりのものと認められるところ、本願の請求項１に係る発明（以下「本願発明」という。）は、上記「第２　１」の「（補正前の請求項１）」に記載されたとおりのものである。 　 
　 　　　 
第４ 引用刊行物とその記載事項等 
　原査定の拒絶の理由に引用された刊行物、その記載事項及び引用発明は、上記「第２　２（２）（２−１）（２−１−１）（２−１−２）」に記載したとおりである。 
　　 
第５　当審の判断 
　本願発明は、上記「第２」で検討した本願補正発明から、「前記プレートの
前記ハウジング側の
、周方向に沿って等間隔に
複数の
方向に沿って等間隔
    　
 ＜相違点３Ａ＞ 
「基板載置面」及び「突出部」に関し、本願発明は、基板載置面が、「前記プレートの前記ハウジング側の内周から離れて」形成されるものであり、また、突出部が、「複数の」突出部であるのに対し、引用発明は、そのように特定されていない点。
  　
　そして、上記相違点１及び相違点２の判断は、上記「第２　２（２−３）ア、イ」のとおりであり、また、上記相違点３Ａについて検討すると、引用発明において、「位置決め係合部49b」は、「少なくとも１カ所の突条49の当接部49aから」「さらに上側に向かって」「突設され」るものであって、「基板16を確実に回り止めできる」構成として採用されるものであるところ、その配設は、「少なくとも１カ所の突条49の当接部49aから」「突設され」ることを充足するように設定され得るものであるから、「１カ所の突条49」のみならず「４カ所の突条49」の全てにおいて、「位置決め係合部49b」を設けることも想定の範囲ということができる。さらに、図１（摘示（１ｄ））にも示されるとおり、位置決め係合部49b及び当接部49aを備えた突条49において、当接部49aが、保持体14の内周から離れて形成されることも技術的に明らかである。
　してみると、引用発明の「基板載置面（当接部49a）」及び「突出部（位置決め係合部49b）」に関し、基板載置面を、「プレートのハウジング側の内周から離れて」形成されるものとして構成するともに、突出部を「複数の」突出部として構成することは、当業者にとって格別困難なことではないし、また、本願発明の作用効果も、引用発明及び刊行物２に記載された技術事項から当業者が予測し得る範囲のものであって、格別なものとはいえない。
　したがって、本願発明は、引用発明及び刊行物２に記載された技術事項に基いて当業者が容易に発明をすることができたものといえる。 
　　　 　 
第６　むすび 
　以上のとおり、本願発明は、引用発明及び刊行物２に記載された技術事項に基いて当業者が容易に発明をすることができたものであるから、特許法第２９条第２項の規定により特許を受けることができない。 
　したがって、その余の請求項について検討するまでもなく、本願は拒絶すべきものである。 
　よって、結論のとおり審決する。